(57)【要約】【課題】大量の放射性汚染水を効率よく処理することを目的とする。【解決手段】本発明の放射性汚染水の処理方法は、少なくとも放射性セシウムを含む放射性核種を含んだ放射性汚染水の処理方法であって、放射性核種を吸着するフェロシアン化鉄及びゼオライト系吸着剤を放射性汚染水に添加し混合攪拌して前処理する前処理工程と、前処理工程により前処理された前処理汚染水に対し無機系凝集剤を添加した後、有機系凝集剤の水溶液を添加して混合し、上記のフェロシアン化鉄及びゼオライト系吸着剤を含む固形物の造粒を行う凝集剤添加混合工程と、凝集剤添加混合工程で得られる混合液をシックナー装置２３で沈降分離によって固液分離する固液分離工程と、を備える。【選択図】図１
2013057599.tif 000002
【特許請求の範囲】
【請求項１】
少なくとも放射性セシウムを含む放射性核種を含んだ放射性汚染水の処理方法であって、
前記放射性核種を吸着する吸着剤を前記放射性汚染水に添加し混合攪拌して前処理する前処理工程と、
前記前処理工程により前処理された前処理汚染水に対し無機系の凝集剤を添加した後、有機系の凝集剤の水溶液を添加して混合し、前記吸着剤を含む固形物の造粒を行う凝集剤添加混合工程と、
前記凝集剤添加混合工程で得られる混合液を沈降分離によって固液分離する固液分離工程と、を備えることを特徴とする放射性汚染水の処理方法。
【請求項２】
前記固液分離工程では、
前記混合液を滞留させる滞留槽を有し前記混合液中で沈降した前記固形物を前記滞留槽の下部から引き抜くシックナー装置を用いて固液分離を行うことを特徴とする請求項１に記載の放射性汚染水の処理方法。
【請求項３】
前記前処理工程では、
前記吸着剤として、第１の吸着剤と第２の吸着剤との２種を用い、
前記放射性汚染水に対し前記第１の吸着剤を添加して混合攪拌した後、更に前記第２の吸着剤を添加して混合攪拌することを特徴とする請求項１又は２に記載の放射性汚染水の処理方法。
【請求項４】
前記放射性汚染水は、前記放射性核種としての放射性ストロンチウムを更に含み、
前記第１の吸着剤はフェロシアン化鉄であり、前記第２の吸着剤はゼオライト系吸着剤であることを特徴とする請求項３に記載の放射性汚染水の処理方法。
【発明の詳細な説明】
【技術分野】
【０００１】
本発明は、放射性セシウムを含む放射性核種を含んだ放射性汚染水の処理方法に関するものである。
【背景技術】
【０００２】
従来、放射性核種を含む廃液を処理する技術として、下記特許文献１に記載の処理方法が知られている。この処理方法では、廃液に硫酸ニッケル、フェロシアン化カリウム、硫酸第二鉄及び水酸化ナトリウムを加えて放射性物質を共沈させる。そして、硫酸第二鉄の添加と同時に又は添加後に高分子系凝集剤を添加することにより、共沈反応で生じた微粒子を凝集させ、遠心分離によって放射性核種を含んだ沈殿を回収する。
【先行技術文献】
【特許文献】
【０００３】
【特許文献１】特開昭６２−２６６４９９号公報号公報
【発明の概要】
【発明が解決しようとする課題】
【０００４】
しかしながら、大量の放射性汚染水を処理対象とする場合には、大量の液体成分と沈殿とを分離する必要があるが、遠心分離方式は大量の対象物の分離には不向きであるので、遠心分離を用いる上記の廃液処理方法では大量の放射性汚染水を処理することには不向きである。このような事情に鑑み、本発明は、大量の放射性汚染水を効率よく処理することを目的とする。
【課題を解決するための手段】
【０００５】
本発明の放射性汚染水の処理方法は、少なくとも放射性セシウムを含む放射性核種を含んだ放射性汚染水の処理方法であって、放射性核種を吸着する吸着剤を放射性汚染水に添加し混合攪拌して前処理する前処理工程と、前処理工程により前処理された前処理汚染水に対し無機系の凝集剤を添加した後、有機系の凝集剤の水溶液を添加して混合し、吸着剤を含む固形物の造粒を行う凝集剤添加混合工程と、凝集剤添加混合工程で得られる混合液を沈降分離によって固液分離する固液分離工程と、を備えることを特徴とする。
【０００６】
この処理方法では、前処理工程により放射性核種が吸着剤に吸着され、凝集剤添加混合工程により上記吸着剤を含む固形物が造粒され、固液分離工程によって、造粒され放射性核種を含む固形物が分離される。固液分離工程では、沈降分離が用いられるので、混合液を滞留させるための大容量の槽を準備することにより、造粒後の混合液を大量に効率良く処理し放射性核種を含む固形物を分離することができる。
【０００７】
また、固液分離工程では、混合液を滞留させる滞留槽を有し混合液中で沈降した固形物を滞留槽の下部から引き抜くシックナー装置を用いて固液分離を行うこととしてもよい。シックナー装置を用いれば、高濃度で放射性核種を含む固形物は滞留槽の下部に偏在するので、放射能による影響の低減を図る保護構造をシックナー装置の下部に限定して設けることができる。
【０００８】
また、前処理工程では、吸着剤として、第１の吸着剤と第２の吸着剤との２種を用い、放射性汚染水に対し第１の吸着剤を添加して混合攪拌した後、更に第２の吸着剤を添加して混合攪拌することとしてもよい。この構成によれば、２種類の吸着剤を、その特徴に応じて順に２段階で利用することで、吸着剤の使用量を抑えることができる。
【０００９】
この場合、放射性汚染水は、放射性核種としての放射性ストロンチウムを更に含み、第１の吸着剤はフェロシアン化鉄であり、第２の吸着剤はゼオライト系吸着剤であることとしてもよい。フェロシアン化鉄はセシウムを主に吸着し、ゼオライト系吸着剤はセシウムとストロンチウムを吸着する性質をもつ。従って、最初に第１の吸着剤としてフェロシアン化鉄を用いることにより、放射性汚染水中の放射性セシウムをまずフェロシアン化鉄に吸着させて低減し、その状態から第２の吸着剤としてゼオライト系吸着剤を用いることにより、ゼオライト系吸着剤の吸着能力を放射性ストロンチウム吸着に対して主に発揮させることができる。よって、放射性汚染水中の放射性ストロンチウムがゼオライト系吸着剤によって効率良く低減されるので、ゼオライト系吸着剤の必要量が抑えられ、使用量を抑えることができる。
【発明の効果】
【００１０】
本発明の放射性汚染水の処理方法によれば、大量の放射性汚染水を効率よく処理することができる。
【図面の簡単な説明】
【００１１】
【図１】本発明の放射性汚染水の処理方法が実行される放射性汚染水処理施設の一例を示す図である。
【図２】本発明者らの試験の結果を示す表である。
【発明を実施するための形態】
【００１２】
以下、図面を参照しつつ本発明に係る放射性汚染水の処理方法の実施形態について詳細に説明する。
【００１３】
図１に示す放射性汚染水処理施設１は、処理対象の放射性汚染水を貯留する放射性汚染水槽３と、放射性汚染水の油分を分離除去する油水分離装置５とを備えている。上記放射性汚染水は、放射性核種を含んでいる。放射性汚染水は、例えば、土粒子と放射性核種とを含む放射性濁水から事前に土粒子を除去して得られたものである。放射性汚染水中の上記放射性核種には少なくとも放射性セシウムと放射性ストロンチウムとが含まれており、放射性汚染水の体積当たりの放射能は、例えば１００Ｂｑ／ｍＬ程度である。
【００１４】
また施設１は、油水分離装置５で処理された後の放射性汚染水が送られる２つの前処理槽７ａ，７ｂを備えている。前処理槽７ａ，７ｂでは、上記放射性汚染水に対し２種類の吸着剤が順次添加され混合攪拌される。このうち、先に添加される１種類目の吸着剤は、フェロシアン化鉄（第１の吸着剤）であり、放射性汚染水中の放射性セシウムを吸着する性質をもつ。また、後に添加される２種類目の吸着剤は、ゼオライト系吸着剤（第２の吸着剤）であり、放射性汚染水中の放射性セシウム及び放射性ストロンチウムを吸着する性質をもつ。ゼオライト系吸着剤とは、合成ゼオライト、天然ゼオライト、人工ゼオライト、及びこれらのうちの２種又は３種を混合した混合物をいう。
【００１５】
施設１は、前処理槽７ａ，７ｂに対し定量供給ポンプでフェロシアン化鉄混合水を供給するフェロシアン化鉄混合水槽９を備えている。ここでは例えば、放射性汚染水（原水）に対して約０．５重量％のフェロシアン化鉄が供給されるように、フェロシアン化鉄混合水が供給される。また、施設１は、前処理槽７ａ，７ｂに対し定量供給ポンプでゼオライト系吸着剤混合水を供給するゼオライト混合水槽１１と、を備えている。ここでは例えば、放射性汚染水（原水）に対して約０．５重量％のゼオライト系吸着剤が供給されるように、ゼオライト系吸着剤混合水が供給される。なお、前処理槽７ａ，７ｂは、一方における１種類目の吸着剤の混合攪拌処理と、他方における２種類目の吸着剤の混合攪拌処理とを並行処理するために、同じ構成の２槽が並列で設置されたものであり、両者の機能や処理内容は同じである。
【００１６】
フェロシアン化鉄混合水槽９には、処理水貯留槽１３からの処理水が供給されている。そして、当該処理水に粉末のフェロシアン化鉄が投入混合されて、フェロシアン化鉄が混合溶解した状態のフェロシアン化鉄混合水が調製される。ゼオライト混合水槽１１にも同様に、処理水貯留槽１３からの処理水が供給されている。そして、当該処理水に粉末のゼオライト系吸着剤が投入混合されて、ゼオライト系吸着剤が混合溶解した状態のゼオライト系吸着剤混合水が調製される。処理水貯留槽１３には、後述する処理水設備３１で発生する処理水が供給されている。なおここでは、処理水設備３１で発生する処理水を用いることは必須ではなく、フェロシアン化鉄混合水槽９やゼオライト混合水槽１１には、外部からの清水（水道水等）を供給するようにしてもよい。
【００１７】
また施設１は、前処理槽７ａ，７ｂの後段にある攪拌造粒槽１７を備えている。攪拌造粒槽１７では、前処理槽７ａ，７ｂで処理された後の前処理汚染水に対して無機系凝集剤が添加された後、有機系凝集剤の水溶液が添加され混合攪拌される（造粒処理）。無機系凝集剤としては、例えばＰＡＣ（ポリ塩化アルミニウム）が用いられる。有機系凝集剤としては、例えばポリアクリルアミド系の凝集剤（高分子凝集剤）が用いられる。施設１は、上記の無機系凝集剤を貯留し攪拌造粒槽１７に供給する無機系凝集剤貯留槽１９と、上記の有機系凝集剤の水溶液を調製し攪拌造粒槽１７に供給する有機系凝集剤調製槽２１と、を備えている。前処理汚染水に対するＰＡＣや高分子凝集剤の投入量は、例えば、ジャーテスト等で決定される。
【００１８】
前処理汚染水に無機系凝集剤が添加されると、前処理汚染水中の固形物の粒子が集合して集合体が形成される。更に有機系凝集剤が添加されると、上記集合体が集まって更に大きな集合体（フロック）が形成され、固体成分は沈降し易くなる。前処理汚染水中の固形物には、放射性セシウムを吸着したフェロシアン化鉄、放射性ストロンチウムを吸着したゼオライト系吸着剤が含まれているので、これらの固形物が上記のフロックに含まれる。なお、原水（放射性汚染水槽３の放射性汚染水）に土粒子が残留していた場合には、土粒子も上記のフロックに含まれる。
【００１９】
更に施設１は、攪拌造粒槽１７の後段にあるシックナー装置２３を備えている。シックナー装置２３は、攪拌造粒槽１７からの混合液を滞留させる滞留槽２３ａを備えている。滞留槽２３ａに供給される混合液は、固体成分である上記フロックと、液体成分とが混合された状態をなしている。シックナー装置２３では、攪拌造粒槽１７から導入された混合液が滞留槽２３ａで静置されると、フロックは、重力によって滞留槽２３ａの底部に沈降する。そして、滞留槽２３ａの底部には引抜口２３ｂが設けられており、底部近傍に偏在するフロックは、上澄み液と分離され濃縮スラリとして引抜口２３ｂから引き抜かれる。
【００２０】
濃縮スラリは、スラリ槽２７に送られた後、ドラム充填装置２９により濃縮スラリドラムに充填され、系外に搬出される。濃縮スラリには、放射性セシウムや放射性ストロンチウムといった放射性核種が含まれており、当該濃縮スラリの体積当たりの放射能は、例えば２０００Ｂｑ／ｍＬ程度である。その一方、滞留槽２３ａの上澄み液は、処理水設備３１に送られる。処理水設備３１では、上記上澄み液に残留する放射性核種が除去され、放射性核種の濃度が十分に低下した後、系外に放流される。
【００２１】
なお、槽や装置の間を接続する各搬送ライン上の必要な箇所には、図に示すように、放射線検出装置ＲＭが設けられており、上述の放射性汚染水、混合液、及び濃縮スラリの放射線量が測定され管理されている。
【００２２】
続いて、以上説明した放射性汚染水処理施設１で行われる放射性汚染水の処理方法について説明する。
【００２３】
（前処理第１工程）
放射性汚染水槽３の放射性汚染水は、油水分離装置５で油分が除去された後、２つの前処理槽７ａ，７ｂに交互に送られる。なお、前処理槽７ａ及び７ｂにおける放射性汚染水の処理は同じであるので、ここでは前処理槽７ａにおける処理について説明する。まず、前処理槽７ａ中の放射性汚染水に対し、フェロシアン化鉄混合水槽９からフェロシアン化鉄混合水が供給され、攪拌混合される。これにより、放射性汚染水中の放射性セシウムがフェロシアン化鉄に吸着される。攪拌は、例えば１時間継続される。
【００２４】
（前処理第２工程）
その後、前処理槽７ａ中の放射性汚染水に対し、ゼオライト混合水槽１１からのゼオライト系吸着剤混合水が供給され、攪拌混合される。これにより、放射性汚染水中の放射性ストロンチウムがゼオライト系吸着剤に吸着される。攪拌は、例えば１時間継続される。その後、前処理槽７ａ中の放射性汚染水（前処理汚染水）は、攪拌造粒槽１７に送られる。
【００２５】
（凝集剤添加混合第１工程）
攪拌造粒槽１７中の前処理汚染水に対し、無機系凝集剤貯留槽１９から無機系凝集剤が添加され、攪拌混合される。前処理汚染水に無機系凝集剤が添加されると、マイナスに帯電した固形物粒子の電荷がプラスに帯電した無機系凝集剤によって中和されるので、前処理汚染水中において固形物粒子が集合して集合体が形成される。この集合体には、放射性セシウムを吸着したフェロシアン化鉄の粒子及び放射性ストロンチウムを吸着したゼオライト系吸着剤の粒子が含まれている。
【００２６】
（凝集剤添加混合第２工程）
次に、攪拌造粒槽１７中の前処理汚染水に対し、有機系凝集剤調製槽２１からの有機系凝集剤の水溶液が添加され、攪拌混合される。有機系凝集剤が添加されると、上記集合体が集まって更に大きな集合体（フロック）が形成され、固体成分である上記フロックが、液体成分に混合された状態の混合液が生成される。混合液中のフロックは粒が大きく、液体成分中で沈降し易い状態である。当該混合液は、シックナー装置２３に送られる。
【００２７】
（固液分離工程）
シックナー装置２３では、攪拌造粒槽１７から順次、混合液が連続的に滞留槽２３ａに送られ、混合液は滞留槽２３ａで一定時間滞留する。混合液の滞留時間は、例えば１〜２時間程度である。混合液中のフロックは重力によって滞留槽２３ａの下方に沈降する。滞留槽２３ａの底部近傍に偏在するフロックを、引抜口２３ｂから引き抜くことにより、上澄み液から分離されたフロック（濃縮スラリ）が、引抜口２３ｂからスラリ槽２７に送られる。その一方、滞留槽２３ａでは上澄み液が順次回収され処理水設備３１に送られる。処理水設備３１では、所定の水処理によって残留する放射性核種が取り除かれ、放射性核種の濃度が十分に低下した状態の処理水が、系外に放流される。
【００２８】
（ドラム充填工程）
スラリ槽２７に送られた濃縮スラリは、ドラム充填装置２９により濃縮スラリドラムに充填され系外に搬出される。濃縮スラリには、もともと放射性汚染水中にあった放射性核種（放射性セシウム、放射性ストロンチウム）が濃縮され含まれるので、結果として、放射性核種含有物の濃縮・減容化が図られる。なお、原水（放射性汚染水槽３の放射性汚染水）に土粒子が残留していた場合には、土粒子も上記の濃縮スラリに含まれ系外に排出されることになる。
【００２９】
続いて、上述した放射性汚染水の処理方法による作用効果について説明する。
【００３０】
上述の処理方法では、前処理工程により放射性核種が吸着剤（フェロシアン化鉄及びゼオライト系吸着剤）に吸着され、凝集剤添加混合工程により上記吸着剤を含む固形物が造粒され、造粒され放射性核種を含む固形物が固液分離工程によって分離される。固液分離工程では、重力による沈降分離が用いられるので、大容量のシックナー装置２３を準備することにより、混合液を大量に効率良く処理することができる。すなわち、シックナー装置２３等を用いた沈降分離では、例えば遠心分離等の他の固液分離手法に比べて、大スケール化が比較的容易であり、大量の濁水の処理に向いている。よって、放射性汚染水処理全体の処理量を増加させることができ、大量の放射性汚染水の処理を効率良く行うことができる。
【００３１】
また、原水（放射性汚染水槽３内の放射性汚染水）中に土粒子が残留している場合にも、土粒子は最終的に濃縮スラリに含まれて系外に排出されるので、例えば、濁度１００ｐｐｍ以下程度であれば、土粒子も良好に除去される。
【００３２】
また、固液分離工程ではシックナー装置２３を用いているので、高濃度で放射性核種を含む固形物を滞留槽２３ａ底部の引抜口２３ｂから回収できる。滞留槽２３ａの底部に沈降したフロック（濃縮スラリ）は、系内で最も放射能が高いものであるが、この濃縮スラリが滞留槽２３ａの下部に偏在するので、放射能による影響を低減するための保護構造を、滞留槽２３ａの下部に集中的に設ければよい。よって、比較的容易に放射線の防護措置を図ることができる。例えば、シックナー装置２３の下半分程度、スラリ槽２７への濃縮スラリの搬送ライン、スラリ槽２７、及びドラム充填装置２９には、放射線遮蔽措置が施される。
【００３３】
また、吸着剤を用いる前処理工程は２段階に分かれており、前処理第１工程では、放射性汚染水に対しフェロシアン化鉄が添加され、その後、前処理第２工程で、ゼオライト系吸着剤が添加される。ここで、フェロシアン化鉄はセシウムを主に吸着し、ゼオライト系吸着剤はセシウムとストロンチウムを吸着する性質をもつ。従って、最初の前処理第１工程でフェロシアン化鉄を用いることにより、放射性汚染水中の放射性セシウムをまずフェロシアン化鉄に吸着させて低減し、前処理第２工程ではその状態からゼオライト系吸着剤を用いることにより、ゼオライト系吸着剤の吸着能力を放射性ストロンチウム吸着に対して主に発揮させることができる。
【００３４】
よって、前処理第２工程では、放射性汚染水中の放射性ストロンチウムがゼオライト系吸着剤によって効率良く低減されるので、ゼオライト系吸着剤の必要量が抑えられ、使用量を抑えることができる。また、ゼオライト系吸着剤は高価な吸着剤であることから、放射性汚染水処理全体のコストダウンにも寄与する。すなわち仮に、前処理第２工程を先に実行した場合には、ゼオライト系吸着剤が放射性ストロンチウムのみならず放射性セシウムも多く吸着してしまう。その結果、ゼオライト系吸着剤による放射性ストロンチウム処理能力が低下し、ゼオライト系吸着剤の必要量が多くなってしまうので好ましくない。
【００３５】
以上、本発明の一実施形態について説明したが、本発明は、上記実施形態に限られるものではなく、各請求項に記載した要旨を変更しない範囲で変形したものであってもよい。
【００３６】
例えば、実施形態では、処理対象の放射性汚染水が放射性セシウムと放射性ストロンチウムとを含んでいるが、本発明の処理方法は、放射性ストロンチウムをほとんど含まない放射性汚染水（例えば、放射性核種として放射性セシウムが主に含まれる放射性汚染水）を処理対象としてもよい。
【００３７】
また、実施形態では、２種類の吸着剤（フェロシアン化鉄及びゼオライト系吸着剤）を用いているが、本発明の処理方法は、吸着剤を１種類のみ用いてもよい。例えば、放射性ストロンチウムをほとんど含まない放射性汚染水（例えば、放射性核種として放射性セシウムが主に含まれる放射性汚染水）を処理対象とする場合には、フェロシアン化鉄のみ用いて処理水の放射能を十分に低減できると考えられる。また、放射性セシウムと放射性ストロンチウムとを含む放射性汚染水を処理対象とする場合にも、ゼオライト系吸着剤のみ用いて処理水の放射能を十分に低減できると考えられる。
【００３８】
（実施例）
本発明者らは、表１（図２）に示す放射性汚染水Ａ〜Ｄを、フェロシアン化鉄及び／又はゼオライト系吸着剤を用いて処理する試験１〜９を行った。各試験１〜９における処理は、第１吸着剤と第２吸着剤との組み合わせ以外は、上述した放射性汚染水処理施設１による汚染水処理と同じである。表１に示す第１吸着剤は、前処理第１工程で放射性汚染水に加える吸着剤であり、第２吸着剤は、前処理第２工程で放射性汚染水に加える吸着剤である。また、前処理第１工程及び前処理第２工程において、各吸着剤を加えた後には、攪拌を１時間継続した。
【００３９】
放射性汚染水Ａは、放射性核種として主に放射性セシウムを含むと予想される放射性汚染水である。放射性汚染水Ｂは、放射性核種として放射性セシウムと少量の放射性ストロンチウムを含むと予想される放射性汚染水である。放射性汚染水Ｃは、放射性核種として放射性セシウムと放射性ストロンチウムを含むと予想される放射性汚染水である。放射性汚染水Ｃは、放射性核種として放射性セシウムと放射性ストロンチウムを含むと予想され、更に土粒子を含む放射性汚染水である。各原水及び各処理水の体積当たりの放射能は、ゲルマニウム半導体検出器を用いて測定した。原水及び処理水の濁度は、投過光散乱式測定器を用いて測定した。
【００４０】
試験１及び試験２によれば、原水が主に放射性セシウムより汚染されている場合は、フェロシアン化鉄又はゼオライト系吸着剤の何れか一方を用いることにより、処理水の体積当たりの放射能0.1Bq/mLを達成することができた。
【００４１】
試験３及び試験５によれば、原水に放射性ストロンチウムが含まれている場合には、フェロシアン化鉄のみを吸着剤として用いても、処理水の体積当たりの放射能0.1Bq/mLを達成することはできなかった。これは、フェロシアン化鉄が原水中の放射性ストロンチウムをほとんど吸着せず、処理水中に放射性ストロンチウムが残留しているものと考えられる。一方、試験４及び試験６によれば、同じ原水に対しゼオライト系吸着剤のみを用いることで、処理水の体積当たりの放射能0.1Bq/mLを達成することができた。これにより、ゼオライト系吸着剤が、放射性セシウム及び放射性ストロンチウムの両方を処理する能力を有することが判った。
【００４２】
試験６と試験７とを比較すると、試験７では、ゼオライト系吸着剤（第２吸着剤）の使用に先だってフェロシアン化鉄（第１吸着剤）を使用することにより、ゼオライト系吸着剤の使用量を試験６に比較して少なくすることができることが判った。なお、試験７では、ゼオライト系吸着剤の使用量が減少する代わりに、フェロシアン化鉄の使用量が増加する。しかし、フェロシアン化鉄よりもゼオライト系吸着剤の方が高価であるので、試験７の吸着剤の組み合わせによれば、汚染水処理コスト全体を低減することができる。
【００４３】
試験７と試験８とを比較する。試験７に比べて、フェロシアン化鉄とゼオライト系吸着剤との投入順を入れ替えた試験８では、処理水の体積当たりの放射能が20-30Bq/mLであり十分に低減されなかった。これは、第１吸着剤として先に投入したゼオライト系吸着剤が、放射性ストロンチウムのみならず放射性セシウムも多く吸着してしまい、その結果、ゼオライト系吸着剤による放射性ストロンチウム処理能力が低下し、最終的には処理水中に放射性ストロンチウムが残留したと考えられる。よって、試験８の吸着剤の投入順では、処理水の十分な放射能低減のために、ゼオライト系吸着剤の投入量を増加する必要がある。これに対し試験７のように、第１吸着剤をフェロシアン化鉄、第２吸着剤をゼオライト系吸着剤とする投入順によって、ゼオライト系吸着剤の使用量を低減できることが判った。
【００４４】
試験７と試験９とを比較すれば、原水に濁度成分（土粒子等）が含まれている場合にも、濁度成分を低減できることが判った。また、試験９と試験１０とを比較すれば、試験９では濁度成分の除去率は９５％であるが、試験１０では濁度成分の除去率は９２．５％に低下した。すなわち、原水の濁度100ppmの場合には、原水の濁度200ppmの場合よりも、濁度成分の除去率が高いことが判った。これにより、原水の濁度が100ppm程度であれば、放射性汚染水処理施設１の処理によって、放射性汚染水に含まれる土粒子も十分に除去できることが判った。
【符号の説明】
【００４５】
１…放射性汚染水処理施設、７ａ，７ｂ…前処理槽、９…フェロシアン化鉄（第１の吸着剤）混合水槽、１１…ゼオライト（第２の吸着剤）混合水槽、１９…無機系凝集剤貯留槽、２１…有機系凝集剤調製槽、２３…シックナー装置、２３ａ…滞留槽、２３ｂ…引抜口。
【図１】
2013057599.tif 000003
【図２】
2013057599.tif 000004